(57)【要約】【課題】  広い周波数範囲にわたって大きなノイズ減衰特性を有するフィルタ素子を得る。【解決手段】  基板１１０の一方の面に螺旋状に形成された第１導体（信号導体パターン）１２１からなる第１平面コイル（信号側平面コイル）１２０と、基板１１０の他方の面に螺旋状に形成された第２導体（接地導体パターン）１３１からなる第２平面コイル（接地側平面コイル）１３０とを含み、信号側平面コイル１２０と接地側平面コイル１３０とを基板１１０を挟んで容量的に結合するように配置する。【選択図】  図１
2006140807.tif 000002
【特許請求の範囲】
【請求項１】
基板の一方の面に螺旋状に形成された第１導体からなる第１平面コイルと、上記基板の他方の面に螺旋状に形成された第２導体からなる第２平面コイルとを含み、上記第１平面コイルと上記第２平面コイルとが上記基板を挟んで容量的に結合するように配置されていることを特徴とするフィルタ素子。
【請求項２】
第１および第２の２枚の基板を備え、上記第１平面コイルが上記第１および第２基板の対向する内面間に配置され、上記第１および第２基板の外面側の各々に上記第２平面コイルが配置されていることを特徴とする請求項１に記載のフィルタ素子。
【請求項３】
一方の面と他方の面とに、上記第１平面コイルと上記第２平面コイルとを有する上記基板の複数枚が電気絶縁性のスペーサ基板を介して積層されていることを特徴とする請求項１に記載のフィルタ素子。
【請求項４】
第１および第２の２枚の基板を備え、上記第２平面コイルが上記第１および第２基板の対向する内面間に配置され、上記第１および第２基板の外面側の各々に上記第１平面コイルが配置されていることを特徴とする請求項１に記載のフィルタ素子。
【請求項５】
上記基板の平面視において、上記第１導体が上記第２導体間に位置するように上記第１平面コイルと上記第２平面コイルとが相対的にずらされていることを特徴とする請求項１ないし４のいずれか１項に記載のフィルタ素子。
【請求項６】
上記第１平面コイルを信号側平面コイルとし、上記第２平面コイルを接地側平面コイルとして、上記基板の平面視において、上記第１平面コイルが上記第２平面コイルの内側となるように巻回される場合、上記第１導体の外終端が信号入力端子，内周端が信号出力端子として選択され、かつ、上記第２導体が上記第１導体の外終端側信号入力端子の位置から内周端側に向ってほぼ１／２ターンずれた位置で接地に接続されることを特徴とする請求項１ないし５のいずれか１項に記載のフィルタ素子。
【請求項７】
上記第１平面コイルを信号側平面コイルとし、上記第２平面コイルを接地側平面コイルとして、上記基板の平面視において、上記第１平面コイルが上記第２平面コイルの外側となるように巻回される場合、上記第１導体の内終端が信号入力端子，外周端が信号出力端子として選択され、かつ、上記第２導体が上記第１導体の内終端側信号入力端子の位置から外周端側に向かってほぼ１／２ターンずれた位置で接地に接続されることを特徴とする請求項１ないし５のいずれか１項に記載のフィルタ素子。
【請求項８】
上記第１平面コイルおよび上記第２平面コイルに鎖交するように、それらの各コイル中心部分を貫通する磁性体を備えていることを特徴とする請求項１ないし７のいずれか１項に記載のフィルタ素子。
【請求項９】
上記基板が上記第１平面コイルおよび上記第２平面コイルの各コイル中心部分を貫通するセンターコアを備えている磁性体からなるハウジング内に収納されていることを特徴とする請求項１ないし７のいずれか１項に記載のフィルタ素子。
【発明の詳細な説明】
【技術分野】
【０００１】
本発明は、電源ラインや信号伝送系などのノイズ除去（減衰）用として好適なフィルタ素子に関し、さらに詳しく言えば、例えば信号側の第１導体と接地側の第２導体とを基板上で平面コイルとして形成したフィルタ素子に関するものである。
【背景技術】
【０００２】
ノイズ低減用のフィルタ素子については多くの提案がなされているが、そのうちの特許文献１に記載の分布定数型フィルタ素子においては、図８に示すように、内部誘電体層１３内に平行導体ライン１１，１２を上下一対として配線するとともに、内部誘電体層１３の上下両面に磁性体と誘電層の複合体１４，１５を介して接地導体１８，１９を積層するようにしている。
【０００３】
このフィルタ素子によれば、磁性体を備えているため、分布インダクタンスが大きくなるとともに、２本の平行導体ライン１１，１２の結合係数が大きくなるので、特にコモンモード信号に対する特性インピーダンスを大きく設定することができる。また、コモンモード動作時は、平衡モード動作時と比較して磁性体の磁束密度が遙かに高くことになることにより磁束損失が大幅に増大し、さらには平行導体ライン１１，１２を鎖交する高周波磁束も増大するため導体のうず電流損失も増大する。
【０００４】
このため、コモンモード信号を広い周波数範囲にわたって抑制することが可能になる。したがって、平衡モード信号を効率よく通過させつつ不平衡で生ずるコモンモード信号を大幅に除去することができる。また、このフィルタ素子は、４００ＭＨｚ以上のきわめて高い周波数のノイズ除去に適した特性を有している。
【０００５】
しかしながら、上記特許文献１のフィルタ素子にあっては、平行導体ライン１１，１２と接地導体１８，１９との間に磁性体と誘電層の複合体１４，１５が配置される構成であるため、平行導体ライン１１，１２と接地導体１８，１９との間に形成される分布容量は複合体１４，１５の誘電率に左右される。
【０００６】
したがって、分布定数型回路として機能するフィルタ素子の分布インダクタンスの値と分布容量の値とを独立して設定することができないため、所望とする特性インピーダンスを有するフィルタ素子の実現が困難である。
【０００７】
そこで、本出願人は、フィルタ設計を容易にしつつ所望とする特性インピーダンスが容易得られるようにした分布定数型フィルタ素子を特許文献２として提案しており、その構成を図９に示す。
【０００８】
このフィルタ素子１は、入力端子５，出力端子６および接地側端子７を有するフィルタ素子であって、一端側が入力端子５に接続されるとともに他端側が出力端子６に接続される平面状のスパイラルコイル２と、切り込み４ｂにより外縁側と連通する中心孔４ａを有し、非磁性材からなる誘電体３を介してスパイラルコイル２の上下両面に配置されて接地側端子７に接続される一対の接地側電極４，４と、スパイラルコイル２の周囲に形成される磁路の少なくとも一部分に配設される磁性体８とを備えている。
【０００９】
【特許文献１】特開２００２−８４１５７号公報
【特許文献２】特開２００４−１７３１５７号公報
【発明の開示】
【発明が解決しようとする課題】
【００１０】
上記特許文献２のフィルタ素子によれば、各接地側電極４，４とスパイラルコイル２との間に磁性体を介在させることなく誘電体３のみを介在させているため、その誘電体３の材質や厚みを変えることにより、分布インダクタンスとは別個に独立して分布容量を設定することができる。
【００１１】
しかしながら、接地側電極４，４がスパイラルコイル２に含まれる信号導体に対して共通に配置されており、しかも接地側電極４，４を擬似的コイルとして見た場合わずか１ターン分しかないため、スパイラルコイル２に含まれる信号導体に対する電位分布がほぼ一様であり偏りがあまりない。したがって、ノイズを減衰し得るにしても、その周波数範囲が限られてしまう。
【００１２】
したがって、本発明の課題は、広い周波数範囲にわたって大きなノイズ減衰特性を有するフィルタ素子を提供することにある。
【課題を解決するための手段】
【００１３】
上記課題を解決するため、請求項１に記載の発明は、基板の一方の面に螺旋状に形成された第１導体からなる第１平面コイルと、上記基板の他方の面に螺旋状に形成された第２導体からなる第２平面コイルとを含み、上記第１平面コイルと上記第２平面コイルとが上記基板を挟んで容量的に結合するように配置されていることを特徴としている。
【００１４】
請求項２に記載の発明は、上記請求項１において、第１および第２の２枚の基板を備え、上記第１平面コイルが上記第１および第２基板の対向する内面間に配置され、上記第１および第２基板の外面側の各々に上記第２平面コイルが配置されていることを特徴としている。
【００１５】
請求項３に記載の発明は、上記請求項１において、一方の面と他方の面とに、上記第１平面コイルと上記第２平面コイルとを有する上記基板の複数枚が電気絶縁性のスペーサ基板を介して積層されていることを特徴としている。
【００１６】
請求項４に記載の発明は、上記請求項１において、第１および第２の２枚の基板を備え、上記第２平面コイルが上記第１および第２基板の対向する内面間に配置され、上記第１および第２基板の外面側の各々に上記第１平面コイルが配置されていることを特徴としている。
【００１７】
請求項５に記載の発明は、上記請求項１ないし４のいずれか１項において、上記基板の平面視において、上記第１導体が上記第２導体間に位置するように上記第１平面コイルと上記第２平面コイルとが相対的にずらされていることを特徴としている。
【００１８】
請求項６に記載の発明は、上記請求項１ないし５のいずれか１項において、上記第１平面コイルを信号側平面コイルとし、上記第２平面コイルを接地側平面コイルとして、上記基板の平面視において、上記第１平面コイルが上記第２平面コイルの内側となるように巻回される場合、上記第１導体の外終端が信号入力端子，内周端が信号出力端子として選択され、かつ、上記第２導体が上記第１導体の外終端側信号入力端子の位置から内周端側に向ってほぼ１／２ターンずれた位置で接地に接続されることを特徴としている。
【００１９】
請求項７に記載の発明は、上記請求項１ないし５のいずれか１項において、上記第１平面コイルを信号側平面コイルとし、上記第２平面コイルを接地側平面コイルとして、上記基板の平面視において、上記第１平面コイルが上記第２平面コイルの外側となるように巻回される場合、上記第１導体の内終端が信号入力端子，外周端が信号出力端子として選択され、かつ、上記第２導体が上記第１導体の内終端側信号入力端子の位置から外周端側に向かってほぼ１／２ターンずれた位置で接地に接続されることを特徴としている。
【００２０】
請求項８に記載の発明は、上記請求項１ないし７のいずれか１項において、上記第１平面コイルおよび上記第２平面コイルに鎖交するように、それらの各コイル中心部分を貫通する磁性体を備えていることを特徴としている。
【００２１】
請求項９に記載の発明は、上記請求項１ないし７のいずれか１項において、上記基板が上記第１平面コイルおよび上記第２平面コイルの各コイル中心部分を貫通するセンターコアを備えている磁性体からなるハウジング内に収納されていることを特徴としている。
【発明の効果】
【００２２】
上記請求項１に記載の発明よれば、それぞれ螺旋状に形成された第１導体からなる第１平面コイルと第２導体からなる第２平面コイルとを基板を挟んで容量的に結合するように配置したことにより、第１導体と第２導体との結合容量が大きく、しかも第２導体が接地側である場合、その電位は一様ではなく部分的に異なる電位をもつため、広い周波数範囲にわたって大きなノイズ減衰特性を発揮するフィルタ素子が得られる。また、平面コイルであるため、その分デバイスの低背化が図れる。
【００２３】
第１および第２の２枚の基板を備え、第１平面コイルを第１および第２基板の対向する内面間に配置し、第１および第２基板の外面側の各々に第２平面コイルを配置する請求項２に記載の発明によれば、第１導体と第２導体との間の分布容量が約２倍程度に大きなノーマルモードノイズフィルタが得られる。
【００２４】
一方の面と他方の面とに、第１平面コイルと第２平面コイルとを有する基板の複数枚を電気絶縁性のスペーサ基板を介して積層する請求項３に記載の発明によれば、第１導体と第２導体との結合容量を大きくとれるため、広い周波数範囲にわたって大きなノイズ減衰特性を発揮するコモンモードノイズフィルタが得られる。
【００２５】
また、第１および第２の２枚の基板を備え、第２平面コイルを第１および第２基板の対向する内面間に配置し、第１および第２基板の外面側の各々に第１平面コイルを配置する請求項４に記載の発明によれば、請求項３と同様の特性を有するコモンモードノイズフィルタが得られる。
【００２６】
基板の平面視において、第１導体を第２導体間に位置するように第１平面コイルと第２平面コイルとを相対的にずらすようにした請求項５に記載の発明によれば、第１導体と第２導体との結合容量をより大きくすることができる。
【００２７】
基板の平面視において、第１平面コイル（信号側平面コイル）が第２平面コイル（接地側平面コイル）の内側となるように巻回される場合、第１導体の外終端を信号入力端子，内周端を信号出力端子として選択し、かつ、第２導体を第１導体の外終端側信号入力端子の位置から内周端側に向ってほぼ１／２ターンずれた位置で接地に接続する請求項６に記載の発明によれば、広い周波数範囲にわたってより効果的にノイズを減衰することができる。
【００２８】
また、基板の平面視において、第１平面コイル（信号側平面コイル）が第２平面コイル（接地側平面コイル）の外側となるように巻回される場合、第１導体の内終端を信号入力端子，外周端を信号出力端子として選択し、かつ、第２導体を第１導体の内終端側信号入力端子の位置から外周端側に向かってほぼ１／２ターンずれた位置で接地に接続する請求項７に記載の発明によれば、請求項６と同様に、広い周波数範囲にわたってより効果的にノイズを減衰することができる。
【００２９】
第１平面コイルおよび上記第２平面コイルに鎖交するように、それらの各コイル中心部分を貫通する磁性体を備える請求項８に記載の発明によれば、コイルのインダクタンスをより大きくすることができる。
【００３０】
また、基板を第１平面コイルおよび第２平面コイルの各コイル中心部分を貫通するセンターコアを備えている磁性体からなるハウジング内に収納する請求項９に記載の発明によれば、コイルのインダクタンスをより大きくすることができるとともに、外部からの電磁波などの外乱による悪影響を排除することができる。
【発明を実施するための最良の形態】
【００３１】
次に、図１ないし図５により、本発明のいくつかの実施形態を説明するが、本発明はこれに限定されるものではない。
【００３２】
まず、図１および図２を参照して、本発明の第１実施形態に係るフィルタ素子について説明する。図１はフィルタ素子の内部構造を模式的に示す断面図で、図２（ａ）（ｂ）は信号側平面コイル（請求項における第１平面コイルに相当する）と接地側平面コイル（請求項における第２平面コイルに相当する）の組み合わせ例を示す模式的な平面図である。
【００３３】
第１実施形態に係るフィルタ素子１００はノーマルモードノイズフィルタとして構成されている。すなわち、このフィルタ素子１００は、一方の面に信号側平面コイル１２０が形成され、他方の面には接地側平面コイル１３０が形成された基板１１０と、この基板１１０を収納する外装体としての磁性体（例えばフェライト材）からなるハウジング１４０とを備えている。なお、ハウジング１４０がない場合でもフィルタとして機能するため、本発明においてハウジング１４０は採用されることが好ましい存在の構成要件である（後述する別の実施形態においても同様）。
【００３４】
信号側平面コイル１２０は螺旋状に形成された信号導体パターン（請求項における第１導体に相当する）１２１よりなり、また、接地側平面コイル１３０も螺旋状に形成された接地導体パターン（請求項における第２導体に相当する）１３１よりなるが、これらは基板１１０を挟んで容量的に結合するように組み合わされて配置される。
【００３５】
図２（ａ）（ｂ）に信号側平面コイル１２０と接地側平面コイル１３０との相対的な位置関係を示すが、図２（ａ）（ｂ）はいずれも図１において基板１１０を上面から見た平面視であるため、基板上面側の信号側平面コイル１２０を実線で示し、基板下面側の接地側平面コイル１３０は鎖線で示す。なお、これらのコイル配置について、作図の都合上、図２と図１とでは必ずしも一致していないことに留意されたい。
【００３６】
信号側平面コイル１２０に含まれる信号導体パターン１２１と、接地側平面コイル１３０に含まれる接地導体パターン１３１はほぼ同幅であるが、本発明において、信号導体パターン１２１と接地導体パターン１３１は位置的に完全に重ね合わされることはなく、相対的にずらされて配置される。
【００３７】
すなわち、図２（ａ）の平面視において、信号導体パターン１２１が接地導体パターン１３１に対して内側となるように巻回される場合と、図２（ｂ）の平面視において、信号導体パターン１２１が接地導体パターン１３１に対して外側となるように巻回される場合とがあり、それに応じて信号の入出力端子の位置および接地導体パターンの接地箇所が異なる。
【００３８】
すなわち、図２（ａ）のように、信号導体パターン１２１が接地導体パターン１３１に対して内側となるように巻回される場合には、信号導体パターン１２１の外周端を信号入力端子ＩＮとし、内周端を信号出力端子ＯＵＴにするとともに、接地導体パターン１２２の接地箇所を信号導体パターン１２１の外終端側の信号入力端子ＩＮの位置から内周端側に向ってほぼ１／２ターンずれた位置Ａとする。
【００３９】
これに対して、図２（ｂ）のように、信号導体パターン１２１が接地導体パターン１３１に対して外側となるように巻回される場合には、信号導体パターン１２１の内周端を信号入力端子ＩＮとし、外周端を信号出力端子ＯＵＴにするとともに、接地導体パターン１２２の接地箇所を信号導体パターン１２１の内終端側の信号入力端子ＩＮの位置から外周端側に向ってほぼ１／２ターンずれた位置Ｂとする。
【００４０】
これが、広い周波数範囲にわたってノイズを効果的に減衰させる本発明の基本的な原則であるが、いずれの場合においても、信号導体パターン１２１と接地導体パターン１３１との容量結合をより高めるうえで、図１に示すように、信号導体パターン１２１が隣接する接地導体パターン１３１，１３１の間に跨るように、そのパターン幅とピッチが設定されることが好ましい。
【００４１】
基板１１０には一般的なプリント配線基板を用いることができ、その場合には信号導体パターン１２１と接地導体パターン１３１は、エッチングもしくはフォトリソなどにて銅箔により形成されるが、これとは別に銀やアルミニウムから形成されてもよい。
【００４２】
ハウジング１４０には、上下に分割して形成された底部側ハウジングメンバー１４１と蓋側ハウジングメンバー１４３とが含まれ、各平面コイル１２０，１３０のコイル中心と対応する各中央部分にセンターコア１４５を構成するボス１４２，１４４が形成される。
【００４３】
このハウジング１４０を備えることにより、外部からの電磁波などの外乱による悪影響を排除できるとともに、センターコア１４５によりコイルのインダクタンスをより大きくすることができるが、コイルのインダクタンスをより大きくするだけであれば、各平面コイル１２０，１３０の中心部分に、それらコイルと鎖交する上記センターコア１４５に相当する磁性体を配置すればよい。
【００４４】
また、信号導体パターン１２１と接地導体パターン１３１との間の分布容量をより大きくするうえで、ハウジング１４０内に誘電率の高い絶縁材１５０を充填することが好ましい。絶縁材１４０は合成樹脂でもよいが、抵抗率の高い磁性フェライト（例えば、Ｎｉ−Ｚｎフェライト粉を樹脂で固めたもの）を用いることが好ましい。この種の磁性フェライトは磁性体特性と誘電体特性とを合わせ持つことから、分布インダクタンスと分布容量の増大に寄与する。
【００４５】
上記第１実施形態のノーマルモードノイズフィルタには、図３に示す態様のフィルタ素子１０１も含まれる。なお、ハウジング１４０は同一構成であってよいため、図３にはその図示が省略されている。
【００４６】
このフィルタ素子１０１においては、図１に示す基板１１０の上に接地側平面コイル１３０を有する別の基板１１１がさらに重ねられる。すなわち、信号側平面コイル１２０が基板１１０と基板１１１の対向する内面間に配置され、基板１１０と基板１１１の外面側に２つの接地側平面コイル１３０が配置される。
【００４７】
これによれば、信号導体パターン１２１と接地導体パターン１３１との間の分布容量が約２倍となり、ノイズ減衰率をより大きくすることができる。なお、一方の接地側平面コイル１３０と信号側平面コイル１２０との組み合わせが例えば図２（ａ）の組み合わせであるとすれば、他方の接地側平面コイル１３０と信号側平面コイル１２０との組み合わせも同じく図２（ａ）の組み合わせとされる。
【００４８】
次に、図４を参照して、信号側平面コイルを２つ備えるコモンモードノイズフィルタとした本発明の第２実施形態に係るフィルタ素子２００について説明する。このフィルタ素子２００は、コモンモードノイズフィルタであることから、上記第１実施形態で説明した基板１１０を２枚積層することにより構成される。
【００４９】
すなわち、このフィルタ素子２００は、図４に示すように、一方の面に信号側平面コイル１２０，他方の面に接地側平面コイル１３０を有する同一構成の基板１１０の２枚を電気絶縁性のスペーサ基板１１２を介して積層した構成であり、説明の便宜上、上側に配置される基板側の各構成要素にはその参照符号の末尾に「ａ」を付し、下側に配置される基板側の各構成要素にはその参照符号の末尾に「ｂ」を付す。なお、ハウジング１４０は上記第１実施形態のものをそのまま使用できるため、図４においてその図示は省略されている。
【００５０】
このフィルタ素子２００において、基板１１０ａ側の信号側平面コイル１２０ａと接地側平面コイル１３０ａの組み合わせが例えば図２（ａ）の組み合わせであるとすれば、基板１１０ｂ側の信号側平面コイル１２０ｂと接地側平面コイル１３０ｂの組み合わせも同じく図２（ａ）の組み合わせとされる。一方の組み合わせが図２（ａ）で、他方の組み合わせを図２（ｂ）とすることは、同相信号同士が打ち消されるおそれがあるため、好ましくない。
【００５１】
積層順は任意に選択されてよい。この例では、図４において上から順に、信号側平面コイル１２０ａ→接地側平面コイル１３０ａ→接地側平面コイル１３０ｂ→信号側平面コイル１２０ｂの４層としているが、例えば接地側平面コイル１３０ａ→信号側平面コイル１２０ａ→信号側平面コイル１２０ｂ→接地側平面コイル１３０ｂの順としてもよい。
【００５２】
また、別の態様として図５に示すフィルタ素子２０１のように、図４の積層体の中間に挟まれている２層の接地側平面コイル１３０ａ，１３０ｂを１層としてもよい。この場合にも、その中間にある接地側平面コイル１３０と上面側の信号側平面コイル１２０ａとの組み合わせ，接地側平面コイル１３０と下面側の信号側平面コイル１２０ｂとの組み合わせは同一とされる。
【００５３】
上記第１実施形態および第２実施形態の説明から明らかなように、本発明は、ノーマルモードノイズフィルタ，コモンモードノイズフィルタのいずれにも適用でき、本発明によれば、広い周波数範囲にわたって大きなノイズ減衰特性を有するとともに、薄型化が可能なフィルタ素子を提供することができる。
【実施例】
【００５４】
〔実施例１〕
本発明の実施例１として、図３に示す実施形態にしたがってフィルタ素子を作製した。信号側平面コイルおよび接地側平面コイルはともに１０ターンで、そのコイルの組み合わせは、図２（ａ）に示すように、接地側平面コイルを外側，信号側平面コイルを内側とし、それらの線間容量が５０ｐＦとなるようにコイルの配置を設計した。各平面コイルの内半径は５ｍｍ，外半径は１０ｍｍ。接地側平面コイルの接地箇所はコイル外周端とした。ハウジングには、ＴＤＫ社製のＰＣ４０磁性体の切削加工ポットコアを使用した。ＡＤＶＡＮＴＥＳＴ社製のネットワークアナライザＲ３７６７ＣＧにて、この実施例１に係るフィルタ素子のＳ２１パラメータを測定した。そのグラフを図６（ａ）に示す。
【００５５】
〔実施例２〕
本発明の実施例２として、接地側平面コイルの接地箇所を信号側平面コイルの外終端側の信号入力端子の位置から内周端側に向ってほぼ１／２ターンずれた位置にしたほかは、上記第１実施例と同じとした。上記実施例１と同じ測定器にて、この実施例２に係るフィルタ素子のＳ２１パラメータを測定したグラフを図６（ｂ）に示す。
【００５６】
〔比較例１〕
本発明の比較例１として、図９に示す態様のフィルタ素子を作製した。上記実施例１と条件が同じとなるように、スパイラルコイル（上記信号側平面コイルに相当）は１０ターンとし、そのスパイラルコイルと接地側電極間の容量が５０ｐＦとなるように設計した。スパイラルコイルの内半径は５ｍｍ，外半径は１０ｍｍ。ハウジングには、ＴＤＫ社製のＰＣ４０磁性体の切削加工ポットコアを使用した。上記実施例１と同じ測定器にて、この比較例１に係るフィルタ素子のＳ２１パラメータを測定したグラフを図７に示す。
【００５７】
まず、実施例１，２による図６（ａ）（ｂ）のグラフと、比較例１による図７のグラフを対比して明らかなように、本発明のフィルタ素子は比較例１のフィルタ素子に比べて、広い周波数範囲（特には、１０〜４００ＭＨ帯）にわたって大きな減衰率を示すことが分かる。
【００５８】
また、図６（ａ）と図６（ｂ）とを対比して明らかなように、接地導体パターンの接地箇所を信号導体パターンの外終端側の信号入力端子の位置から内周端側に向ってほぼ１／２ターンずれた位置に設定することにより、より大きな減衰率を得ることができる。
【図面の簡単な説明】
【００５９】
【図１】本発明の第１実施形態に係るフィルタ素子の内部構造を模式的に示す断面図。
【図２】本発明において採用される信号側平面コイルと接地側平面コイルの組み合わせの２例を示す模式的な平面図。
【図３】上記第１実施形態に含まれる変形態様の平面コイルを示す断面図。
【図４】本発明の第２実施形態に係るフィルタ素子の平面コイルを示す断面図。
【図５】上記第２実施形態に含まれる変形態様の平面コイルを示す断面図。
【図６】（ａ）本発明の実施例１のＳ２１パラメータを測定したグラフ，（ｂ）本発明の実施例２のＳ２１パラメータを測定したグラフ。
【図７】比較例１のＳ２１パラメータを測定したグラフ。
【図８】第１従来例（特許文献１）の構成例を示す斜視図。
【図９】第２従来例（特許文献２）の構成例を示す分解斜視図。
【符号の説明】
【００６０】
１００，１０１，２００，２０１  フィルタ素子
１１０，１１０ａ，１１０ｂ，１１１，１１２  基板
１２０  信号側平面コイル
１２１，１２１ａ，１２１ｂ  信号導体パターン
１３０  接地側平面コイル
１３１，１３１ａ，１３１ｂ  接地導体パターン
１４０  ハウジング
１４５  センターコア
１５０  絶縁材
Ａ，Ｂ  接地位置
ＩＮ  信号入力端子
ＯＵＴ  信号出力端子
【図１】
2006140807.tif 000003
【図２】
2006140807.tif 000004
【図３】
2006140807.tif 000005
【図４】
2006140807.tif 000006
【図５】
2006140807.tif 000007
【図６】
2006140807.tif 000008
【図７】
2006140807.tif 000009
【図８】
2006140807.tif 000010
【図９】
2006140807.tif 000011